(57)【要約】【課題】鎖樋ユニット同士の連結・分離作業を容易にし、鎖樋ユニットを構成する各部材の係合、固定が堅固であって、雨水を下方に適切に導きやすい鎖樋ユニットを提供する。【解決手段】本発明は、鎖樋１を構成する上下に複数連結可能な鎖樋ユニット２であって、飾りカバー部材３と、飾りカバー部材３に上下方向から着脱自在に装着される第1及び第２の鎖部材４、４とを具備し、飾りカバー部材３には、筒状のカバー本体と、その内壁面から内方へ張り出す張出壁部とを備え、第１及び第２の鎖部材４、４は、複数の肩部と、その先端から延びる、互いに接近・離間する方向に弾性変形可能な脚部と、脚部の先端部に形成された係合部とを備え、張出壁部は、第１及び第２の鎖部材４、４の各脚部を挿通させる孔を備え、第１及び第２の鎖部材４、４が、係合部を張出壁部の孔内に係合させることにより、飾りカバー部材３に装着されていることを特徴とする。【選択図】図１
2011001741.tif 000002
【特許請求の範囲】
【請求項１】
鎖樋を構成する上下に複数連結可能な鎖樋ユニットであって、
飾りカバー部材と、該飾りカバー部材に上方から着脱自在に装着される第１の鎖部材と、前記飾りカバー部材に下方から着脱自在に装着される第２の鎖部材とを具備してなり、
前記飾りカバー部材には、筒状のカバー本体と、該カバー本体内壁面から内方へ張り出す張出壁部とを備え、
第１及び第２の鎖部材は、上下方向の基準線上に位置する基端部を始点として、前記基準線回りに等角度位置をずらして、該基準線から離間する方向に延びる複数の肩部と、
該肩部の先端から前記基準線に沿って前記基端部から離間する方向に延びる、互いに接近・離間する方向に弾性変形可能な脚部と、
これら脚部の先端部に形成された係合部とを備え、
前記張出壁部は、前記第１及び第２の鎖部材の各脚部を挿通させる孔を備え、
前記第１及び第２の鎖部材が、それぞれの脚部を前記基準線回りに交互に等間隔環状配置し、前記係合部を、前記脚部を弾性変形・弾性復帰させて前記張出壁部の前記孔内に係合させることにより、前記飾りカバー部材に装着されていることを特徴とする鎖樋ユニット。
【請求項２】
請求項１に記載の鎖樋ユニットにおいて、
前記張出壁部は、その張り出した内端部が、下方へ向けて傾斜していることを特徴とする鎖樋ユニット。
【請求項３】
請求項１又は２に記載の鎖樋ユニットにおいて、
前記第１及び第２の鎖部材には、前記基端部に前記脚部の先端部が位置する側に膨出した膨出部が形成されていることを特徴とする鎖樋ユニット。
【請求項４】
請求項１から３のいずれかに記載の鎖樋ユニットにおいて、
前記第１及び第２の鎖部材には、前記基端部に前記脚部の先端部が位置する側の反対側に雨水ガイド突出部が設けられていることを特徴とする鎖樋ユニット。
【発明の詳細な説明】
【技術分野】
【０００１】
本発明は、鎖樋を構成する上下に複数連結自在な鎖樋ユニットに関する。
【背景技術】
【０００２】
雨水を地上に流す竪樋のうち、家屋等の玄関先や軒先の外部又は屋内から目に付きやすい場所においては、意匠上の観点から軒樋から吊るした鎖に雨水を伝わせる鎖樋が広く用いられる。この鎖樋には、一定間隔に筒状のカップ部材を鎖部材に取り付け、鎖部材を伝う水の飛散防止効果や美観を高めているものがある。従来、このような鎖部材にカップ部材を取り付けた鎖樋としては、下記特許文献１に開示されたものが知られている。
【０００３】
特許文献１に開示された鎖樋は、図７に示すように、カップ部材１０１と鎖部材１０２、１０３とから構成された鎖樋ユニット１００が上下に連結されて構成されている。カップ部材１０１と上鎖部材１０２とは、カップ部材１０１の内壁１０１ａ上部に対向するように設けられた係止用凸部１０４、１０４の溝内に、略半輪形状の上鎖部材１０２の端部１０２ａ、１０２ｂを係止し、また、カップ部材１０１と下鎖部材１０３とは、内壁１０１ａ下部に対向するように設けられた係止用凸部１０４、１０４の溝内に略半輪形状の下鎖部材１０３の端部１０３ａ、１０３ｂを係止することで取り外し可能に連結されている。
【０００４】
上鎖部材１０２の端部１０２ａ、１０２ｂは、係止用凸部１０４、１０４の溝内に押し込まれて挟持され、さらに端部１０２ａ、１０２ｂの先端に備えられた球形状の係止用球状部１０５を係止用凸部１０４の下面に係合させることにより、上鎖部材１０２が係止用凸部１０４から抜け出ないように係止されている。下鎖部材１０３の端部１０３ａ、１０３ｂの係止用凸部１０４、１０４との係止についても、上記上鎖部材１０２と係止用凸部１０４との係止と同様になされる。
【０００５】
また、鎖樋ユニット１００同士の連結は、鎖樋ユニット１００の下鎖部材１０３に下方に連結される鎖樋ユニット１００の上鎖部材１０２を引っ掛けるように挿通させた上で、該上鎖部材１０２の端部１０２ａ、１０２ｂをカップ部材１０１の係止用凸部１０４、１０４の溝内に係止することにより行う。
【先行技術文献】
【特許文献】
【０００６】
【特許文献１】実開平５−７８２５号公報
【発明の概要】
【発明が解決しようとする課題】
【０００７】
しかしながら、上記鎖樋ユニット１００によると、上下鎖部材１０２、１０３を係止用凸部１０４の溝内に嵌合させるには、上下鎖部材１０２、１０３の端部に局部的な力を加える必要があり、嵌合に一定の要領が必要となって、上下鎖部材１０２、１０３のカップ部材１０１への取り付けが容易に行えず、これらの連結が面倒であるという問題があった。
【０００８】
また、上鎖部材１０２の端部１０２ａ、１０２ｂを、カップ部材１０１に設けた係止用凸部１０４、１０４の溝内に、下鎖部材１０３を、カップ部材１０１に設けた係止用凸部１０４、１０４の溝内にそれぞれ挟持させ、係止用凸部１０４の下面又は上面に係止用球状部１０５を係合させて係止・固定させているのみであるため、風等の外力による上下左右の揺れが生じた場合に、係止用凸部１０４、１０４から上下鎖部材１０２、１０３が外れやすいという問題があった。
【０００９】
また、カップ部材１０１では、雨水を中心部に集水する手段を有していないため、雨水がカップ部材１０１外に飛散しやすく、雨水を適切に下方に導きにくいという問題があった。
【００１０】
本発明は上記事情に鑑みてなされたものであり、鎖樋ユニット同士の連結・分離作業を容易にし、鎖樋ユニットを構成する各部材の係合、固定が堅固であって、雨水を下方に適切に導きやすい鎖樋ユニットを提供することを目的とする。
【課題を解決するための手段】
【００１１】
上記目的を達成するために、この発明は以下の手段を提供している。
請求項１の発明は、鎖樋を構成する上下に複数連結可能な鎖樋ユニットであって、飾りカバー部材と、該飾りカバー部材に上方から着脱自在に装着される第１の鎖部材と、前記飾りカバー部材に下方から着脱自在に装着される第２の鎖部材とを具備してなり、前記飾りカバー部材には、筒状のカバー本体と、該カバー本体内壁面から内方へ張り出す張出壁部とを備え、第１及び第２の鎖部材は、上下方向の基準線上に位置する基端部を始点として、前記基準線回りに等角度位置をずらして、該基準線から離間する方向に延びる複数の肩部と、該肩部の先端から前記基準線に沿って前記基端部から離間する方向に延びる、互いに接近・離間する方向に弾性変形可能な脚部と、これら脚部の先端部に形成された係合部とを備え、前記張出壁部は、前記第１及び第２の鎖部材の各脚部を挿通させる孔を備え、前記第１及び第２の鎖部材が、それぞれの脚部を前記基準線回りに交互に等間隔環状配置し、前記係合部を、前記脚部を弾性変形・弾性復帰させて前記張出壁部の前記孔内に係合させることにより、前記飾りカバー部材に装着されていることを特徴とする。
請求項２の発明は、前記張出壁部は、その張り出した内端部が、下方へ向けて傾斜していることを特徴とする。
請求項３の発明は、前記第１及び第２の鎖部材には、前記基端部に前記脚部の先端部が位置する側に膨出した膨出部が形成されていることを特徴とする。
請求項４の発明は、前記第１及び第２の鎖部材には、前記基端部に前記脚部の先端部が位置する側の反対側に雨水ガイド突出部が設けられていることを特徴とする。
【発明の効果】
【００１２】
請求項１の発明による鎖樋ユニットによれば、第１及び第２の鎖部材の脚部が互いに接近または離間する方向に弾性変形可能である性質を利用して係合部を張出壁部下面又は上面に係合させ、飾りカバー部材に第１及び第２の鎖部材を装着しうるため、飾りカバー部材と第１及び第２の鎖部材との取り付け・取り外しが簡易であるという効果を奏する。
また、第１及び第２の鎖部材として同一構成のものを採用しているため、鎖樋ユニットを構成する部材の部品点数を抑えることができ、該鎖樋ユニットを安価に製造できるという効果を奏する。また更に、鎖樋ユニットとして組み立てたときに、バランスがよく安定するという効果を奏する。
請求項２の発明による鎖樋ユニットによれば、内方に張り出した張出壁部が下方に傾斜しているため、雨水を内下方に集束させることができ、外方へ飛散することを防止するという効果を奏する。
請求項３の発明による鎖樋ユニットによれば、第１及び第２の鎖部材同士が膨出部表面上において係合するため、第１及び第２の鎖部材同士の相対変位を良好になし得て鎖樋の揺動をスムーズに行うことができるという効果を奏する。
請求項４の発明による鎖樋ユニットによれば、雨水が雨水ガイド突出部を伝うため、雨水が外方へ飛散するのを抑制するという効果を奏する。
【図面の簡単な説明】
【００１３】
【図１】は、本発明の一実施形態として示した鎖樋ユニットを用いて構成した鎖樋の一部の正面図である。
【図２】は、本発明の一実施形態として示した鎖樋ユニットの飾りカバー部材の断面図である。
【図３】は、本発明の一実施形態として示した鎖樋ユニットの飾りカバー部材の平面図である。
【図４】は、本発明の一実施形態として示した鎖樋ユニットの第１及び第２の鎖部材の正面図である。
【図５】は、本発明の一実施形態として示した鎖樋ユニットの第１の鎖部材の飾りカバー部材への装着方法を説明した一部断面図である。
【図６】は、本発明の一実施形態として示した鎖樋ユニットを示す断面図である。
【図７】は、従来の鎖樋の斜視図である。
【発明を実施するための形態】
【００１４】
以下、図を参照して本発明の一実施形態について説明する。
図１は、本発明による鎖樋ユニットを用いて構成した鎖樋を示すものであり、図１において、符号１は鎖樋、２は鎖樋１を構成する鎖樋ユニットである。
【００１５】
鎖樋ユニット２は、飾りカバー部材３と、飾りカバー部材３に上下方向から着脱自在に装着された第１及び第２の鎖部材４、４とから構成されている。
【００１６】
飾りカバー部材３は、図２、図３に示すように、下端部から上端部に向かって漸次拡開するように形成された筒状のカバー本体６と、このカバー本体６の内壁面６ａの高さ方向中央部やや下方よりに内方に張り出すように形成された張出壁部７とからなっている。
【００１７】
カバー本体６は、その下端部の水平方向の断面形状が円形であり、上方に向かうに従い、漸次その内部の水平断面積が拡大する円筒状に形成されたものである。また、このカバー本体６の上端部は、その断面形状が、星形形状に形成されるとともに、上方に木の葉状に突出する突部８、８・・を備えた形状とされている。
【００１８】
張出壁部７は、カバー本体６の内壁面６ａの中央部下方よりの位置から、このカバー本体６の内方に張り出すように形成された水平部７ａと、この水平部７ａの内端から折れ曲がって下方へ傾斜する傾斜部（内端部）７ｂとからなっている。張出壁部７の傾斜部７ｂの端部で囲まれる空間は、カバー本体６の内腔から連通した開口部１６とされている。
【００１９】
この張出壁部７には、水平部７ａに、周方向約４５度おきに、孔９が８つ形成されている。
この孔９は、内壁面６ａに沿う辺９ａと、辺９ａの一端から内方に向かって略垂直に形成された辺９ｂと、該辺９ｂに連設し辺９ａに対向する辺９ｃと、辺９ｃに連設し辺９ｂに対向する辺９ｄとにより囲まれてなる矩形形状の孔であり、後述する第１及び第２の鎖部材の脚部を挿通出来る寸法とされている。
【００２０】
第１及び第２の鎖部材４、４には、形状・寸法が同一の構成により形成されるものが用いられる。この第１及び第２の鎖部材４、４は、断面円形の棒状体からなるものであって、図４に示すように、その上下方向の中心軸となる基準線Ｍ上に位置する基端部Ｋからこの基準線Ｍ回りに等角度、具体的には９０度ずつ位置をずらして、互いに等間隔に離間する方向に延びる肩部４ａ、４ａ・・と、これら肩部４ａ、４ａ・・の各先端から該肩部４ａ、４ａ・・が延びる方向に沿って基準線Ｍに略平行に延伸する脚部４ｂ、４ｂ・・と、これら脚部４ｂ、４ｂ・・の先端部に設けられた係合部４ｃ、４ｃ・・とから形成されている。
また、第１及び第２の鎖部材４、４の基端部Ｋには、逆Ｕ字形の突出部４ｄが脚部４ｂ、４ｂ・・の先端部が位置する側の反対側、すなわち上方に形成されている。
【００２１】
基端部Ｋには、脚部４ｂ、４ｂ・・の先端部が位置する側、すなわち下方へ向けて緩やかに膨出した膨出部１５が形成されている。
【００２２】
脚部４ｂの先端部には、その外面が内側に傾斜した傾斜面４ｂｉが形成されている。
【００２３】
この場合、互いに対向する脚部４ｂ、４ｂの先端部間の寸法、すなわち、係合部４ｃ、４ｃが形成された部分の上部間の寸法Ｌ１は、図３に示す張出壁部７に形成された互いに対向する孔９、９の辺９ｃ、９ｃ間の寸法Ｌ１と略同一の寸法とされている。
この構成において、全ての脚部４ｂ、４ｂ・・は、張出壁部７に等間隔環状配置された８つの孔９、９・・のうち、９０度おきに存在する孔９、９・・に挿入可能な位置関係とされている。
上記のように構成された第１及び第２の鎖部材４、４は、脚部４ｂ、４ｂ・・が互いに近接又は離間する方向に弾性変形可能とされている。
【００２４】
係合部４ｃは、内方に突出するように形成されたものであり、その突出端面が下方へ向かうに従い傾斜面４ｂｉとの寸法が小となるように傾斜する傾斜面１７ａとされ、その上端面が水平な係合面１７ｂとされている。  
【００２５】
雨水ガイド突出部４ｄは、断面円形の棒状体によりアーチ型に形成されたものであり、その頂部Ｔが基準線Ｍ上に位置するようにして基端部Ｋから上方に向けて設けられている。
【００２６】
第２の鎖部材４は、第１の鎖部材４と形状・寸法が同一構成になるように形成されたものであり、該第１の鎖部材４と上下を反対にして用いられるものである。
【００２７】
これら各部材の成形材料としては、例えば、ＡＢＳ、ポリウレタン等の樹脂を好適に用いることができる。
【００２８】
次に、上記の第１の鎖部材４を飾りカバー部材３に装着する方法について、図３、図４、図５を参照して説明する。
【００２９】
まず、第１の鎖部材４を把持して、その脚部４ｂ、４ｂを飾りカバー部材３内にその上方から挿入する。
この場合、脚部４ｂ、４ｂ・・は、図３、図５に示す張出壁部７に形成された孔９、９・・のうち、９０度おきに存在する孔９、９・・の上方に位置させ、係合部４ｃ、４ｃ・・が孔９、９・・向かうように挿入する。
【００３０】
このように、脚部４ｂ、４ｂ・・挿入すると、その先端部に設けられた係合部４ｃ、４ｃ・・が、張出壁部７の水平部７ａの上面に当接する。図５において、符号Ａは、このときの脚部４ｂ及び係合部４ｃの位置を示している。
【００３１】
ここで、脚部４ｂ、４ｂ・・に上方から外力を加えると、水平部７ａに当接している係合部４ｃ、４ｃ・・の各傾斜面１７ａが脚部４ｂの先端部を外方へ押し出し、互いに離間する方向に弾性変形させ、係合部４ｃ、４ｃ・・の先端が孔の辺９ｃに当接する。この状態において、係合部４ｃ、４ｃ・・は、孔９の辺９ｃに弾性的に付勢された状態で当接している。図５において、符号Ｂは、このときの脚部４ｂ及び係合部４ｃの位置を示している。
【００３２】
更に第１の鎖部材４を下方へ移動させ、係合部４ｃ、４ｃ・・が水平部７ａの下方へ到った時点で、脚部４ｂ、４ｂ・・の先端部が弾性復帰し、係合部４ｃの係合面１７ｂが張出壁部７の水平部７ａの下面に当接し、係合部４ｃ、４ｃ、・・が、張出壁部７に係合する。図５において、符号Ｃは、この状態を示している。
【００３３】
係合部４ｃ、４ｃ・・が張出壁部７に係合した状態において、肩部４ａ、４ａ・・は、図６に示すようにカバー本体６の上方に突出するように位置している。
【００３４】
第２の鎖部材４を飾りカバー部材３に装着するにあたっては、第１の鎖部材４と同一の鎖部材４を用い、第２の鎖部材４の脚部４ｂの先端部を、第１の鎖部材４が装着された脚部４ｂの位置から４５度ずらした位置の孔９、９・・に合わせ、上記第１の鎖部材４を装着したのと同様にして、飾りカバー部材３の下方から挿入し、装着することができる。
以上のようにして、図６に示すような本発明の鎖樋ユニット２が組み立てられる。
【００３５】
一方、上記の鎖樋ユニット２を解体するには、図５に示すように、第１の鎖部材４の係合部４ｃの各傾斜面１７ａを外方へ押圧し係合部４ｃと張出壁部７とを相対移動させる。これによって係合部４ｃと張出壁部７との係合を外し、飾りカバー部材３から、第１の鎖部材４を分離する。
同様にして、第２の鎖部材４の係合部４ｃ、４ｃ・・と張出壁部７との係合を外し、第２の鎖部材４を飾りカバー部材３から分離する。このようにして、鎖樋ユニット２を、各部材に解体することができる。
【００３６】
次に、鎖樋ユニット２、２同士を連結させ、鎖樋１を設置する方法について説明する。
まず、第１の鎖部材４の脚部４ｂ、４ｂ、・・と第２の鎖部材４の脚部４ｂ、４ｂ・・とを互いに対向するように向き合わせ、これらを連結する。すなわち、これらを対向させた状態で第１の鎖部材４の脚部４ｂ、４ｂ・・を第２の鎖部材４の肩部４ａ、４ａ・・間に位置させ、各鎖部材の脚部４ｂ、４ｂ・・、４ｂ、４ｂ・・が交互に位置するように互いに挿通し、第１の鎖部材４の脚部４ｂの先端と第２の鎖部材４の脚部４ｂの先端とが互いに反対方向を向くようにして係合させる。
このようにして連結された第１及び第２の鎖部材４、４に、飾りカバー部材３を、前述した要領で上下方向から装着し、更に、予め連結させておいた第１及び第２の鎖部材４、４を、最上部及び最下部の飾りカバー部材３に装着していくということを順次繰り返し、鎖樋１を組み立てる。
【００３７】
上記のようにして組み立てられた鎖樋１の最上部の第１の鎖部材４の雨水ガイド突出部４ｄに、軒樋の集水部材に連結された係止部材（不図示）を挿通して連結する。
この状態で、鎖樋１全体の長さが長すぎて地面に到達し鎖樋ユニット２が地面に余っている場合には、前述した要領で最下部の鎖樋ユニット２を地面に合う長さ程度になるよう順次解体して、鎖樋１全体の長さが適当になるように調整する。また、鎖樋１全体の長さが短い場合には、最下部の鎖樋ユニット２にさらに鎖樋ユニット２を連結させて、鎖樋１全体の長さを調節する。鎖樋１全体の長さが適切に調整されたところで、最下部の鎖樋ユニット２の雨水ガイド突出部４ｄに、軒樋１の先端を下方に安定させる錘部材を装着して鎖樋１を設置することができる。
【００３８】
次に、上記のようにして組み立てられた鎖樋ユニット２ないし設置された鎖樋１の作用について、図６を参照して説明する。
雨天時において、雨水が軒樋の集水部（不図示）に流れると、その雨水は、集水部から鎖樋１の最上部の鎖樋ユニット２に直接に滴下するか、又は係止部材に連結した最上部の鎖樋ユニット２の第１の鎖部材４を伝って、最上部の飾りカバー部材３のカバー本体６内壁面６ａに流れる。
カバー本体６は、上方に向かって漸次拡開した筒形状に形成されており、集水部から流れくる雨水を良好に集水することが出来る。
【００３９】
カバー本体６内に流入した雨水は、図６に示すように、内壁面６ａに沿って下方へ流れ、張出壁部７の傾斜部７ｂによりカバー本体６の中心部に集水されながら下方に流れる。
さらに、その雨水は、張出壁部７の開口部１６から下方に連結された飾りカバー部材３内に直接滴下するか、又は、カバー本体６の下端から第２の鎖部材４を伝って、下方に伝い流れてく。
【００４０】
本実施形態の鎖樋ユニット２は、前述の構成を採用することにより、第１及び第２の鎖部材４、４の飾りカバー部材３への装着において、第１及び第２の鎖部材４、４の脚部４ｂ、４ｂを飾りカバー部材３の内部に、上下方向から押圧挿入し、係合部４ｃ・・、４ｃ・・が張出壁部７の孔９、９・・を通過する時点までカバー本体６の内腔に押し込むだけで、第１及び第２の鎖部材４、４の弾性変形、弾性復帰力によって張出壁部７に係合部４ｃ・・、４ｃ・・を係合することができるため、簡便操作で取り付けられるという効果を奏する。
また、第１及び第２の鎖部材４、４の飾りカバー部材３からの取り外しにおいても、第１及び第２の鎖部材４、４の係合部４ｃ、４ｃ等の突出端面１７ａを外方へ押圧して孔９、９・・内に押し入れ、張出壁部７との係合を外すだけで、第１及び第２の鎖部材４、４の弾性復帰力により簡単にできるという効果を奏する。
【００４１】
また、第１及び第２の鎖部材４、４の脚部４ｂ、４ｂの弾性変形力を利用して係合部４ｃを張出壁部７に係合させる構造を採用しているため、係合部４ｃ、４ｃと張出壁部７との係合が強固になり、第１及び第２の鎖部材４、４を人為的に取り外そうとしないかぎり、風等の自然の外力によっては、該第１及び第２の鎖部材４、４が飾りカバー部材３から容易には外れないという効果を奏する。
【００４２】
また、第１及び第２の鎖部材４、４として、形状・寸法等が同一構成のものを採用しているため、鎖樋ユニット２を構成する部材の部品点数を抑えることができ、該鎖樋ユニット２を安価に製造できるという効果を奏する。また更に、鎖樋ユニット２として組み立てたときに、バランスがよく安定するという効果を奏する。
【００４３】
さらに、張出壁部７は、その傾斜面７ｂが下方へ向けて傾斜しているため、この鎖樋ユニット２を伝って下方へ滴下又は流下する雨水が内方へより絞られた状態で下方の鎖樋ユニット２に導かれるので、雨水の外方への拡散を防止でき、雨水を良好に下方へ導くことができるという効果を奏する。
【００４４】
さらにまた、第１及び第２の鎖部材４、４が膨出部１５、１５を有しているため、該第１及び第２の鎖部材４、４の複数の脚部４ｂ、４ｂを交互に交差するように組み合わせても膨出部１５、１５の球面同士が当接し、第１及び第２の鎖部材４、４の肩部４ａ、４ａが互いにそれらの中心付近にて食い込み合って徒にきつく係合することを防止し、これらの連結、揺動を適度に促すことができる。すなわち、第１又は第２の鎖部材同士４、４が膨出部１５、１５の表面上において係合するため、第１及び第２の鎖部材４、４同士の相対変位を良好になしえて鎖樋１の揺動をスムーズに行うことができるという効果を奏する。
【００４５】
また、第１及び第２の鎖部材４、４が雨水ガイド突出部４ｄ、４ｄを有していることにより、張出壁部７によって集水され流れてきた雨水をキャッチし、又は、飾りカバー部材３の中央部に滴下させることが可能となるという効果を奏する。
【符号の説明】
【００４６】
１    鎖樋
２    鎖樋ユニット
３    飾りカバー部材
４    第１及び第２の鎖部材
４ａ  肩部
４ｂ  脚部
４ｃ  係合部
４ｄ  雨水ガイド突出部
６    カバー本体
６ａ  内壁面
７    張出壁部
７ｂ  傾斜部（内端部）
９    孔
１５  膨出部
Ｍ    基準線
Ｋ    基端部
【図１】
2011001741.tif 000003
【図２】
2011001741.tif 000004
【図３】
2011001741.tif 000005
【図４】
2011001741.tif 000006
【図５】
2011001741.tif 000007
【図６】
2011001741.tif 000008
【図７】
2011001741.tif 000009